(57)【特許請求の範囲】
【請求項１】
通信相手毎にブロック毎に設けられ、複数の端末のデータを時分割多重化すると共に、相手からの多重化データを分解する複数のＩＳＤＮ基本インタフェースと、
前記複数のＩＳＤＮ基本インタフェースによりブロック毎に多重化された各多重化データを更に多重化してＩＳＤＮ公衆回線を介して相手側に送信すると共に、前記ＩＳＤＮ公衆回線を介して相手から受信した多重化データをブロック毎に分解して前記複数のＩＳＤＮ基本インタフェースに送出する１つのＩＳＤＮ１次群速度インタフェースとを有し、
前記複数のＩＳＤＮ基本インタフェースのそれぞれには、多重化と多重化データの分解を行う高速インタフェース・多重化部と、端末に１対１で接続される端末インタフェースユニットと、複数の端末インタフェースユニットにバス接続されると共に前記高速インタフェース・多重化部に接続され、各端末から送られるデータを前記高速インタフェース・多重化部へ送ると共に前記高速インタフェース・多重化部から送られたデータをバスへ送出するバス制御部ユニットとが備えられており、
前記ＩＳＤＮ１次群速度インタフェースには、多重化と多重化データの分解を行う集線多重化高速インタフェースと、端末からの送信要求に基づき前記ＩＳＤＮ公衆回線への発呼処理を行う呼制御部と、前記呼制御部と前記集線多重化高速インタフェース及び前記ＩＳＤＮ基本インタフェースの前記高速インタフェース・多重化部の間を接続する接続部とが備えられていることを特徴とする多重化通信装置。
【発明の詳細な説明】
【０００１】
【産業上の利用分野】
本発明は、ディジタル公衆回線を介して多重化通信を行う多重化通信装置に関する。
【０００２】
【従来の技術】
図５は従来の時分割多重化装置により通信されるデータ系のシステム例を示し、このシステムでは時分割多重化装置１０６、１０６’との間で通信相手毎にブロック毎に多重化通信が行われる。この装置１０６、１０６’はそれぞれ１つの装置制御部１０１、１０１’と複数の内部ブロック（１１０、１１１、１１２）、（１１０’、１１１’、１１２’）を有し、内部ブロックの各々はＩＳＤＮ基本インタフェースである高速回線インタフェース・多重化部１０２、１０２’と、バス制御部ユニット１０３、１０３’と複数の端末インタフェースユニット１０４、１０４’を有する。
【０００３】
高速回線インタフェース・多重化部１０２、１０２’はＩＳＤＮ公衆回線（ＮＥＴ６４）１０９を介して接続され、各内部ブロックにおけるバス制御部ユニット１０３、１０３’と端末インタフェースユニット１０４、１０４’はそれぞれ受信用の多重化バス１０７、１０７’と送信用の多重化バス１０８、１０８’を介して接続されている。また、端末インタフェースユニット１０４、１０４’と端末１０５、１０５’はそれぞれインタフェースケーブル１１３、１１３’を介して接続されている。
【０００４】
このような構成において、送信側の時分割多重化装置１０６、１０６’ではそれぞれ種々の端末１０５、１０５’からのデータを各インタフェースケーブル１１３、１１３’を介して各端末インタフェースユニット１０４、１０４’に取込み、各端末インタフェースユニット１０４、１０４’から送信用の多重化バス１０８、１０８’を介してバス制御部ユニット１０３、１０３’に伝送し、バス制御部ユニット１０３、１０３’においてバス接続を行い、高速回線インタフェース・多重化部１０２、１０２’において多重化し、内部ブロック（１１０、１１１、１１２）、（１１０’、１１１’、１１２’）毎に各ＩＳＤＮ公衆回線（ＮＥＴ６４）１０９を介して受信側の時分割多重化装置１０６’、１０６に送信する。
【０００５】
受信側の時分割多重化装置１０６、１０６’ではそれぞれ、内部ブロック（１１０、１１１、１１２）、（１１０’、１１１’、１１２’）毎に各ＩＳＤＮ公衆回線（ＮＥＴ６４）１０９を介して受信した多重化データを高速回線インタフェース・多重化部１０２、１０２’において各データに分解し、この各データをバス制御部ユニット１０３、１０３’により受信用の多重化バス１０７、１０７’を介して各端末インタフェースユニット１０４、１０４’に振り分け、各端末インタフェースユニット１０４、１０４’から各インタフェースケーブル１１３、１１３’を介して各端末１０５、１０５’に送出する。
【０００６】
【発明が解決しようとする課題】
しかしながら、上記従来の時分割多重化通信装置では、内部ブロック（１１０、１１１、１１２）、（１１０’、１１１’、１１２’）毎に各高速回線インタフェース・多重化部１０２、１０２’がＮＥＴ６４のＩＳＤＮ公衆回線１０９を介して接続されるので、ＮＥＴ６４のＩＳＤＮ公衆回線１０９上で送受信されるデータ速度が１２８Ｋｂｐｓ（Ｂ１ｃｈ、Ｂ２ｃｈ）以上になると、新たなＮＥＴ６４のＩＳＤＮ公衆回線１０９を接続して増設するか、又はブロック毎にＩＳＤＮ公衆回線１０９をＩＳＤＮ公衆回線（ＮＥＴ１５００）に変更して高速回線インタフェース・多重化部１０２、１０２’をＩＳＤＮ１次群速度インタフェースに変更しなければ対応することができず、コストが増加するという問題点がある。
【０００７】
本発明は上記従来の問題点に鑑み、安価な構成でデータ速度を増加させることができる多重化通信装置を提供することを目的とする。
【０００８】
【課題を解決するための手段】
請求項１記載の発明は上記目的を達成するために、通信相手毎にブロック毎に設けられ、複数の端末のデータを時分割多重化すると共に、相手からの多重化データを分解する複数のＩＳＤＮ基本インタフェースと、前記複数のＩＳＤＮ基本インタフェースによりブロック毎に多重化された各多重化データを更に多重化してＩＳＤＮ公衆回線を介して相手側に送信すると共に、前記ＩＳＤＮ公衆回線を介して相手から受信した多重化データをブロック毎に分解して前記複数のＩＳＤＮ基本インタフェースに送出する１つのＩＳＤＮ１次群速度インタフェースとを有し、前記複数のＩＳＤＮ基本インタフェースのそれぞれには、多重化と多重化データの分解を行う高速インタフェース・多重化部と、端末に１対１で接続される端末インタフェースユニットと、複数の端末インタフェースユニットにバス接続されると共に前記高速インタフェース・多重化部に接続され、各端末から送られるデータを前記高速インタフェース・多重化部へ送ると共に前記高速インタフェース・多重化部から送られたデータをバスへ送出するバス制御部ユニットとが備えられており、前記ＩＳＤＮ１次群速度インタフェースには、多重化と多重化データの分解を行う集線多重化高速インタフェースと、端末からの送信要求に基づき前記ＩＳＤＮ公衆回線への発呼処理を行う呼制御部と、前記呼制御部と前記集線多重化高速インタフェース及び前記ＩＳＤＮ基本インタフェースの前記高速インタフェース・多重化部の間を接続する接続部とが備えられていることを特徴とする。
【０００９】
【作用】
請求項１記載の発明では、１つのＩＳＤＮ１次群速度インタフェースにより、複数のＩＳＤＮ基本インタフェースによりブロック毎に多重化された各多重化データが更に多重化されて相手側に送信され、また、相手から受信した多重化データがブロック毎に分解されるので、１つのＩＳＤＮ１次群速度インタフェースを追加するのみでデータ速度を増加させることができる。
【００１０】
【実施例】
以下、図面を参照して本発明の実施例を説明する。図１は本発明に係る多重化通信装置の一実施例を概略的に示すブロック図であり、図５に示す構成部材と同一のものには同一の参照符号を付す。
図１に示す時分割多重化装置１０６は図５に示すものと同一であってＩＳＤＮ基本インタフェースを有し、図５に示す各ブロック（１１０、１１１、１１２）がそれぞれ端末１０５に接続されると共にＩＳＤＮ公衆回線（ＮＥＴ６４）と同様なインタフェース２０２を介して集線多重化部２０１に接続されている。集線多重化部２０１はＩＳＤＮ１次群速度インタフェースを有し、ＩＳＤＮ公衆回線（ＮＥＴ１５００）２０３を介して図示省略の相手側に接続される。
【００１１】
このような構成において、送信側の時分割多重化装置１０６は従来例と同様に各端末１０５からのデータを多重化してブロック毎にインタフェース２０２に送出し、集線多重化部２０１はブロック毎のインタフェース２０２上の多重化データを更に多重化し、ＩＳＤＮ公衆回線（ＮＥＴ１５００）２０３を介して相手側に送信する。受信側の集線多重化部２０１は、ＩＳＤＮ公衆回線（ＮＥＴ１５００）２０３を介して受信した多重化データを各ブロック毎に分解してインタフェース２０２を介して時分割多重化装置１０６の各ブロックに振り分け、時分割多重化装置１０６内の各ブロックは更に多重化データを分解して各端末１０５に振り分ける。
【００１２】
図２は図１に示す時分割多重化装置１０６と集線多重化部２０１を複合した集線多重化装置３０４を示している。集線多重化装置３０４はＩＳＤＮ１次群速度インタフェースである各々１つの集線多重化高速インタフェース（Ｉ／Ｆ）３０３及びＩＳＤＮ公衆回線（ＮＥＴ１５００）呼制御部３０５を有し、また、ブロック「１」〜「３」毎にＩＳＤＮ基本インタフェースであるＩＳＤＮ公衆回線（ＮＥＴ６４）接続部３０７及び高速回線インタフェース・多重化部１０２と、バス制御部ユニット１０３と複数の端末インタフェースユニット１０４を有する。
【００１３】
集線多重化高速Ｉ／Ｆ３０３はＩＳＤＮ公衆回線（ＮＥＴ１５００）呼制御部３０５の制御によりＩＳＤＮ公衆回線（ＮＥＴ１５００）２０３を介して相手側に接続され、集線多重化高速Ｉ／Ｆ３０３と各ブロックのＩＳＤＮ公衆回線（ＮＥＴ６４）接続部３０７は送信用の集線多重化バス３０１と受信用の集線多重化バス３０２を介して接続されている。また、ＩＳＤＮ公衆回線（ＮＥＴ１５００）呼制御部３０５と各ブロックのＩＳＤＮ公衆回線（ＮＥＴ６４）接続部３０７は呼制御情報伝送バス３０８、３０９を介して接続され、各ブロックの高速回線インタフェース・多重化部１０２とＩＳＤＮ公衆回線（ＮＥＴ６４）接続部３０７はＩＳＤＮ公衆回線（ＮＥＴ６４）と同様なインタフェース２０２を介して接続されている。
【００１４】
更に、従来例と同様に、各ブロックにおけるバス制御部ユニット１０３と端末インタフェースユニット１０４は、受信用の多重化バス１０７と送信用の多重化バス１０８を介して接続され、また、端末インタフェースユニット１０４と端末１０５はインタフェースケーブル１１３を介して接続されている。
【００１５】
このような構成において、送信側の集線多重化装置３０４の各ブロックでは、先ず、従来例と同様に種々の端末１０５からのデータを各インタフェースケーブル１１３を介して各端末インタフェースユニット１０４に取込み、各端末インタフェースユニット１０４から送信用の多重化バス１０８を介してバス制御部ユニット１０３に伝送し、バス制御部ユニット１０３においてバス接続を行い、高速回線インタフェース・多重化部１０２において時分割多重化する。
【００１６】
そして、本実施例では、各ブロックの多重化部１０２からインタフェース２０２を介してＩＳＤＮ公衆回線（ＮＥＴ６４）接続部３０７に送出し、接続部３０７では当該ブロックの高速回線インタフェース・多重化部１０２からの多重化データを受け取って送信用の各集線多重化バス３０１を介して集線多重化高速Ｉ／Ｆ３０３に送出すると共に、多重化データを受け取ったことを呼制御情報伝送バス３０９を介してＩＳＤＮ公衆回線（ＮＥＴ１５００）呼制御部３０５に通知する。
【００１７】
呼制御部３０５はＩＳＤＮ公衆回線（ＮＥＴ１５００）２０３に対して、必要とするタイムスロット分の発呼処理を行って相手側との通信路を確保し、集線多重化高速Ｉ／Ｆ３０３はこのＩＳＤＮ公衆回線（ＮＥＴ１５００）２０３上で確保された通信路を介し、各ブロックからの多重化データを集線多重化して相手側に送信する。また、受信の場合には呼制御部３０５がその旨をＮＥＴ６４の当該接続部３０７に通知すると共に、集線多重化高速Ｉ／Ｆ３０３が相手側からＩＳＤＮ公衆回線（ＮＥＴ１５００）２０３を介して受信したデータをブロック毎に分解してＮＥＴ６４の当該接続部３０７に振り分け、当該高速回線インタフェース・多重化部１０２がこの時分割多重化データを分解し、各端末インタフェースユニット１０４に振り分ける。
【００１８】
したがって、各ブロックの高速回線インタフェース・多重化部１０２が送受信する多重化データを集線多重化高速Ｉ／Ｆ３０３により更に集線多重化・分解するので、複数のブロック毎に高速回線インタフェース・多重化部１０２が送受信する多重化データを１本のＩＳＤＮ公衆回線（ＮＥＴ１５００）２０３を介して伝送することができる。また、各々１つの集線多重化高速インタフェース（Ｉ／Ｆ）３０３及びＩＳＤＮ公衆回線（ＮＥＴ１５００）呼制御部３０５と、ブロック毎にＩＳＤＮ公衆回線（ＮＥＴ６４）接続部３０７を追加するのみで、データ速度を増加させることができる。
【００１９】
また、ＩＳＤＮ公衆回線（ＮＥＴ１５００）２０３の発呼チャネルは必要に応じて増減することができるので、各端末インタフェースユニット１０４により端末１０５の送信要求を検出可能に構成し、送信時に高速回線インタフェース・多重化部１０２からＩＳＤＮ公衆回線（ＮＥＴ６４）接続部３０７に対して発呼要求し、その発呼に対してＩＳＤＮ公衆回線（ＮＥＴ１５００）呼制御部３０５がＩＳＤＮ公衆回線（ＮＥＴ１５００）２０３に対して発呼することにより、必要最小限の帯域のみの通信路を確保するので通信コストを減少することができる。
【００２０】
図３は本発明の利用形態の一例を示し、３つのサイト４０１〜４０３に分割されて設置されている。そして、サイト４０１、４０２では共に従来例と同様な時分割多重化装置１０６及び端末１０５により構成され、サイト４０３では図１及び図２に示すような集線多重化部２０１により構成される。
【００２１】
また、サイト４０１、４０２における各時分割多重化装置１０６とサイト４０３における集線多重化部２０１はＩＳＤＮ公衆回線（ＮＥＴ６４）と同様なインタフェース２０２を介して接続され、集線多重化部２０１はＩＳＤＮ公衆回線（ＮＥＴ１５００）２０３を介して相手側に接続される。また、相手側の多重化通信装置も同様に、サイト４０１〜４０３に分割して構成することができる。
このような構成によれば、サイト４０１、４０２が比較的近距離であり、サイト４０３が遠距離である場合にも安価な構成でデータ速度を増加させることができる。
【００２２】
ここで、図２に示す高速回線インタフェース・多重化部１０２とＩＳＤＮ公衆回線（ＮＥＴ６４）接続部３０７の間では、ＩＳＤＮ公衆回線（ＮＥＴ６４）と同様なインタフェース２０２を介してＢチャネル単位で発信可能であり、これに対してＩＳＤＮ公衆回線（ＮＥＴ１５００）２０３は複数の相手側との間で接続可能である。図４を参照してこの機能を利用した本発明の他の利用形態を説明する。先ず、基本的な利用形態では、時分割多重化ブロック５０１Ａ〜５０１Ｃは共に高速回線インタフェース・多重化部１０２と、バス制御部ユニット１０３と複数の端末インタフェースユニット１０４を有し、各高速回線インタフェース・多重化部１０２がそれぞれＩＳＤＮ公衆回線（ＮＥＴ６４）と同様なインタフェース２０２Ａ〜２０２Ｃを介して集線多重化部２０１に接続される。
【００２３】
ここで、他の利用形態として、ブロック５０１Ａ、５０１Ｂが既存の設備としてそれぞれ相手先Ａ、Ｂとの通信用として運用されている場合にブロック５０１Ｃを相手先Ｃとの通信用として増設する場合に、もしブロック５０１Ａ又は５０１Ｂ内の高速回線インタフェース・多重化部１０２とバス制御部ユニット１０３の時分割多重化容量に余裕があるときには、ＩＳＤＮ公衆回線（ＮＥＴ１５００）２０３が複数の相手側との間で接続可能であるので、ブロック５０１Ｃは高速回線インタフェース・多重化部１０２とバス制御部ユニット１０３を省略してブロック５０１Ａ又は５０１Ｂのものを兼用することができる。
【００２４】
【発明の効果】
以上説明したように請求項１記載の発明は、１つのＩＳＤＮ１次群速度インタフェースにより、複数のＩＳＤＮ基本インタフェースによりブロック毎に多重化された各多重化データが更に多重化されて相手側に送信され、また、相手から受信した多重化データがブロック毎に分解されるので、１つのＩＳＤＮ１次群速度インタフェースを追加するのみでデータ速度を増加させることができる。また、ＩＳＤＮ公衆回線の発呼チャネルは必要に応じて増減することができるので、各端末インタフェースユニットにより端末の送信要求を検出可能に構成し、送信時に高速回線インタフェース・多重化部から接続部３０７に対して発呼要求し、その発呼に対して呼制御部３０５がＩＳＤＮ公衆回線に対して発呼することにより、必要最小限の帯域のみの通信路を確保するので通信コストを減少することができる。
【図面の簡単な説明】
【図１】本発明に係る多重化通信装置の一実施例を概略的に示すブロック図である。
【図２】図１の多重化通信装置の一例を詳細に示すブロック図である。
【図３】図１の多重化通信装置の利用形態を示すブロック図である。
【図４】図１の多重化通信装置の他の利用形態を示すブロック図である。
【図５】従来の多重化通信装置を示すブロック図である。
【符号の説明】
１０２  高速回線インタフェース・多重化部
１０３  バス制御部ユニット
１０４  端末インタフェース
１０５  端末
１０６  時分割多重化装置
２０１  集線多重化部
２０２  ＮＥＴ６４インタフェース
２０３  ＩＳＤＮ公衆回線（ＮＥＴ１５００）
３０３  集線多重化高速インタフェース
３０５  ＩＳＤＮ公衆回線（ＮＥＴ１５００）呼制御部
３０７  ＩＳＤＮ公衆回線（ＮＥＴ６４）接続部
【図１】
0003660373.tif 000002
【図２】
0003660373.tif 000003
【図３】
0003660373.tif 000004
【図４】
0003660373.tif 000005
【図５】
0003660373.tif 000006